(57)【要約】【課題】延長ソケットの頂部に取り付けられたアダプターから伸びる配線により人々の通行が妨げられるのを防止するために、前記延長ソケットに接続される容器であって前記配線を受け入れるための受け入れスペースを有する容器を提供すること。【解決手段】延長ソケットに接続される、前記延長ソケットの頂部に差し込まれたアダプターから伸びる配線を受け入れるための容器は、本体と、該本体の頂部に取り外し可能に取り付けられたキャップであって該キャップと前記本体との間に受け入れスペースを形成するキャップとを含む。前記キャップは、電気製品を保持するための複数の保持装置と、複数対の入口及び出口とを有する。各対の入口及び出口は、前記アダプターから伸びる前記配線が前記入口から前記受け入れスペースへ伸び、前記出口から前記受け入れスペースの外へ伸びることができ、かつ前記配線の余分な長さの部分が前記受け入れスペースに受け入れられるように、前記保持装置の１つに対応するように相対して配置されている。【選択図】図２
0003125507.tif 000002
【実用新案登録請求の範囲】
【請求項１】
延長ソケットに接続される、前記延長ソケットの頂部に差し込まれたアダプターから伸びる配線を受け入れるための容器であって、
本体と、
該本体の頂部に取り外し可能に取り付けられたキャップであって該キャップと前記本体との間に受け入れスペースを形成し、電気製品を保持するための複数の保持装置と複数対の入口及び出口とを有するキャップとを含み、
前記本体は細長くかつ湾曲しており、各保持装置は雄コネクターと雌コネクターとを有し、各対の入口及び出口は、前記アダプターから伸びる前記配線が前記入口から前記受け入れスペースへ伸び、前記出口から前記受け入れスペースの外へ伸びることができ、かつ前記配線の余分な長さの部分が前記受け入れスペースに受け入れられるように、前記保持装置の１つに対応するように相対して配置されている、容器。
【請求項２】
前記キャップは、該キャップの前記本体からの取り外しを容易にするために前記キャップの周縁部に設けられた切欠きと、前記延長ソケットのスイッチに対応する穴とを有し、前記本体は、前記延長ソケットから伸びるコードを固定するためのコード位置決め装置を有し、該コード位置決め装置は、該コード位置決め装置の２つの端部のそれぞれに設けられた、前記コードを受け入れるための切欠きを有する、請求項１に記載の容器。
【請求項３】
前記本体が前記キャップと共に前記延長ソケットに対して回転可能であるように、前記本体と前記延長ソケットとを結合するヒンジが前記本体の側部に設けられている、請求項２に記載の容器。
【考案の詳細な説明】
【技術分野】
【０００１】
本考案は、延長ソケットに接続される容器であって前記延長ソケットの頂部に取り付けられたアダプターから伸びる配線を受け入れるための容器に関する。
【背景技術】
【０００２】
延長ソケットの頂部にアダプターが取り付けられるとき、通常、使用者が前記延長ソケットに前記アダプターを差し込み、該アダプターから伸びる配線が乱雑に露出される。前記延長ソケットにコンピューターが接続されるとき、該コンピューターの本体からの配線に加え、前記コンピューターのモニターからの配線も乱雑に露出される。このため、人々が頻繁に通る通路にこれらの配線が置かれると、該配線により人々の通行が妨げられる。
【考案の開示】
【考案が解決しようとする課題】
【０００３】
本考案は、前記した問題を改善する容器を提供する。
【０００４】
本考案の目的は、延長ソケットの頂部に取り付けられたアダプターから伸びる配線により人々の通行が妨げられるのを防止するために、前記延長ソケットに接続される容器であって前記配線を受け入れるための受け入れスペースを有する容器を提供することである。
【課題を解決するための手段】
【０００５】
本考案に係る容器は、延長ソケットに接続される、前記延長ソケットの頂部に取り付けられたアダプターから伸びる配線を受け入れるための容器であって、本体と、該本体の頂部に取り外し可能に取り付けられたキャップであって該キャップと前記本体との間に受け入れスペースを形成するキャップとを有する。前記キャップは入口と出口とを有し、前記アダプターから伸びる前記配線は電気製品に接続されるために前記入口と前記出口とを経て伸びる。このため、前記配線の余分な長さの部分が前記受け入れスペースに受け入れられる。
【０００６】
さらに、前記キャップは、その頂部に形成された、前記電気製品を保持するための複数の保持装置を有する。
【０００７】
本考案の他の目的、利点及び新規な特徴は、添付の図面に関しての以下の詳細な説明からより明らかになる。
【考案を実施するための最良の形態】
【０００８】
図１に示すように、容器は、細長くかつ湾曲した本体１０と、キャップ２０と、複数の保持装置３０とを含む。
【０００９】
本体１０は、互いに間隔を置いて配置された複数組の配線保持ロッド１１を有する。各配線保持ロッド１１は本体１０の内面に固定されている。各組の配線保持ロッド１１の本数は少なくとも１本である。図示の例では、各組の配線保持ロッド１１の本数は４本であり、各組の配線保持ロッド１１は長方形をなすように配置されている。各組の配線保持ロッド１１の本数が３本である場合、各組の配線保持ロッド１１は三角形をなすように配置することができる。延長ソケット５０の底部にはコード位置決め装置１２が取り付けられており、コード位置決め装置１２は、その２つの端部のそれぞれに設けられた切欠き１２１を有する。
【００１０】
キャップ２０は、本体１０に対応する大きさ及び形状を有し、本体１０とともに受け入れスペース（図示せず）を形成するように本体１０の頂部に取り外し可能に取り付けられている。キャップ２０は、該キャップの周縁部に設けられた切欠き２１と、延長ソケット５０の頂部のスイッチ５１に対応する穴２２と、それぞれが一対の相対する入口２３１及び出口２３２を有する複数の部分と、入口２３１及び出口２３２間にあって互いに間隔を置いて配置された一対のスリット２４とを有する。
【００１１】
各保持装置３０はキャップ２０の頂部に固定されている。各保持装置３０は、雄コネクター３１と、該雄コネクターに取り外し可能に接続される雌コネクター３２とを有する。
【００１２】
図２に示すように、前記容器が延長ソケット５０に接続されるとき、前記容器はヒンジ４０により延長ソケット５０に結合される。ヒンジ４０は本体１０の側部と延長ソケット５０の側部とに固定されており、図３に示すように、前記容器は延長ソケット５０に対して回転可能である。
【００１３】
延長ソケット５０から伸びるコード５２は、延長ソケット５０の底部に取り付けられたコード位置決め装置１２の切欠き１２１に受け入れられる。図４に示すように、電気製品６０に接続されたアダプター７０が延長ソケット５０に差し込まれるとき、アダプター７０から伸びる配線が入口２３１から前記容器の中へ伸び、さらに出口２３２から前記容器の外へ伸び、前記配線の余分な長さの部分が、受け入れスペースＡに受け入れられ、対応する一組の配線保持ロッド１１に巻き付けられる。延長ソケット５０に複数の電気製品が接続されるとき、各電気製品のアダプターから伸びる配線の余分な長さの部分が受け入れスペースＡに受け入れられる。延長ソケット５０からアダプター７０を取り外すとき、配線保持ロッド１１からアダプター７０の配線を取り外すためにキャップ２０を切欠き２１から持ち上げる。延長ソケット５０に複数の電気製品のプラグが差し込まれるとき、前記電気製品の配線は保持装置３０により整理することができる（図５）。
【００１４】
前記容器の頂部に電気製品があり、該電気製品のプラグが延長ソケット５０に差し込まれるとき、雄コネクター３１と雌コネクター３２との接続により前記電気製品の位置を固定することができる。雄コネクター３１と雌コネクター３２とを組み合わせたものは、ベルクロ（Ｖｅｌｃｒｏ  商標）が好ましい。
【図面の簡単な説明】
【００１５】
【図１】延長ソケットに接続された本考案に係る容器の分解斜視図。
【図２】延長ソケットに接続された本考案に係る容器の斜視図。
【図３】本考案に係る容器が回転させられたことを示す斜視図。
【図４】電気製品からの配線が容器の受け入れスペースに受け入れられていることを示す図。
【図５】複数の電気製品からの配線がキャップの頂部の保持装置により固定されていることを示す図。
【符号の説明】
【００１６】
１０    本体
１２    コード位置決め装置
２０    キャップ
２１    キャップの切欠き
２２    穴
３０    保持装置
３１    雄コネクター
３２    雌コネクター
４０    ヒンジ
５０    延長ソケット
５１    スイッチ
５２    コード
６０    電気製品
７０    アダプター
１２１    コード位置決め装置の切欠き
２３１    入口
２３２    出口
Ａ    受け入れスペース
【図１】
0003125507.tif 000003
【図２】
0003125507.tif 000004
【図３】
0003125507.tif 000005
【図４】
0003125507.tif 000006
【図５】
0003125507.tif 000007